(57)【要約】【課題】路面標示は晴眼者を対象にしており色や輝度による識別が難しい視覚障害者には、これに沿っての移動は不可能である。また点字ブロックの表面突起だけでは、視覚障害者の誘導の全てを満足させるものではなく、また高齢者や幼児などが躓くなど障壁にもなっており車椅子や乳母車・自転車・旅行バック利用者からも敬遠されている。更にこれが原因で地下街や病院など屋内での敷設を難しくしている。材質の違いを誘導路して機器を利用して検知する方法についても検知距離が短く、又点状に電子タグを敷設するものもあり、視覚障害者誘導用ブロックとほぼ同一の技術範囲に留まっている。【解決手段】移動に必要な幅を有し平坦な誘導路１に標示幅が左右で異なる回帰性反射機能を有する反射路面標示２及び反射路面標示３で区画した歩行用誘導路を設け光学機器で走査し読み取る。【選択図】  図１
2006097226.tif 000002
【特許請求の範囲】
【請求項１】
歩行に必要な幅員を有し、平坦な誘導路１に標示幅が異なり回帰性反射機能を有する反射路面標示２及び反射路面標示３で区画した歩行者誘導標示。
【発明の詳細な説明】
【技術分野】
【０００１】
本発明は、歩行者用誘導路の空間走査による確認が容易な路面標示に関するものである。
【背景技術】
【０００２】
従来の歩行者誘導標示としては、路側線の区分標示など晴眼者や弱視者を対象に色やガラスビーズ等の反射輝度を利用した、例えば特許公開２００３−２０６５１３号公報記載等の路面標示かある。また視覚障害者を対象とした路面標示には、ブロックの表面突起や材質の違いを、足裏や杖で触知し歩行誘導に利用している、例えは特許公開２００１−２１５８６９号公報記載等の点字ブロックがある。
点字ブロックの情報伝達は、杖が路面に触れる僅かな部分の触覚情報の伝達に止まり、少しでも多く確かな情報を得ようと誘導路の材質の違いを、機器を利用して検知する特許公開平９−３２８７２５号公報に記載のフェライトなどの磁性体からなる誘導路をセンサーを組み込んだ杖で検知する方法や、特許公開２００２−１６７７１９号公報に記載の点字ブロック下にＩＣタグを敷設した誘導路を杖に組み込んだリーダーで読み取る方法がある。
【０００３】
正確な走査情報を簡単に入手するため、点字ブロックの表面にガラスビーズが施された視覚障害者誘導標示を特許公開平１０−１０８８８５号公報や特許公開２００２−１９７５８６号公報に記載の光学機器を利用して読み取る方法がある。
【特許文献１】特許公開２００３−２０６５１３号公報
【特許文献２】特許公開２００１−２１５８６９号公報
【特許文献３】特許公開平９−３２８７２５号公報
【特許文献４】特許公開２００２−１６７７１９号公報
【特許文献５】特許公開平１０−１０８８８５号公報
【特許文献６】特許公開２００２−１９７５８６号公報
【特許文献７】特許公開２００３−３０３３９５号公報
【発明の開示】
【発明が解決しようとする課題】
【０００４】
解決しようとする問題点は、特許公開２００３−２０６５１３号公報に記載の技術を利用しても、光覚を持たず有っても弱い視覚障害者は、凹凸のない路面標示に沿っての移動は不可能である。また特許公開２００１−２１５８６９号公報に記載の点字ブロックなども、杖が路面に触れる僅かな瞬間に表面突起だけを頼る手段には無理があり、凹凸がある周囲のブロックと錯覚されるなど、視覚障害者の誘導を全て満足させるものではない。
また逆に僅かな突起が高齢者や幼児など一般歩行者の障壁にもり、ハイヒールや車椅子、乳母車や自転車・旅行バック利用者からも敬遠されており、これらが原因して地下街や病院など屋内での敷設を難しくしている。
【０００５】
特許公開平９−３２８７２５号公報に記載の、誘導路の材質の違いを、機器を利用してフェライト磁性体誘導路を検知する方法は、誘導路に沿って連続して敷設できる特徴をもっているが検知距離が数ｃｍと短く、点字ブロック同様に杖が路面に接地する僅かな部分の情報しか伝達されず材料をブロックの下側に敷設、またブロックに混入させるため割高となり実用化されていない。
【０００６】
特許公開２００２−１６７７１９号公報記載のＩＣタグに至っては、高さか１５ｃｍ内外まで向上するが、数枚置きの点字ブロック下に敷設されるため、リーダーを組み込んだ杖が仮に点字ブロックを触知しても、ＩＣタグのＩＤが読み取れないケースもあり誘導路を外れる、また誘導路を平面にした場合には、周囲に凹凸が無いため何れの方向にズレを生じたか全く確認できず軌道修正も難しくなるなどの問題点を有している。
こうした諸問題を解決し、全ての歩行者が安心して円滑な移動できることが求められている。
【課題を解決するための手段】
【０００７】
本発明は、安全で円滑移動に必要な幅員を確保し、誘導路の表面から移動の障壁となる凹凸を排除し、両側に標示幅の異なる回帰性反射を有する反射路面標示を敷設することで誰もが昼夜間・屋内外を問わず、安全で安心して移動できるようにした。
視覚障害者の場合も正確で絶え間ない走査情報をえるため点字ブロックの表面にガラスビーズが施された視覚障害者誘導標示を特許公開平１０−１０８８８５号公報に記載の方法や特許公開２００２−１９７５８６号公報に記載の技術を利用して誘導路を走査し読み取る。
前述した検知方法により、進行方向と離脱方向が常に確認できるため、歩行者誘導標示は点字ブロックや盲導犬の機能も補い、より安全確実に誘導路が確認できるようにした。
【発明の効果】
【０００８】
路面標示に回帰反射機能を持たせ街灯や僅かな光源を誘導路に照射することで昼夜間・屋内外を問わず視認し易く、また避難誘導用の標示としても利用でき、特開平１０−１０８８８５号公報や特許公開２００２−１９７５８６号公報に記載する白杖に装着した光学機器で誘導路１等を走査すれば、反射路面標示２及び反射路面標示３上の空間を走査中においても杖を通して振動が伝達されるため、常に誘導路１の領域が確認でき視覚障害者も迅速でシームレスな移動が可能となる。
【０００９】
誘導路１からは、移動の妨げとなる勾配や電柱・階段裏・立看板・駐輪など全てを規制・排除し、更に特開２００３−３０３３９５号公報に記載する装備をした車両には安全誘導路・避難路であることを知らせ駐車・駐輪禁止等を促すことも可能であり駐車防止を目的にしたバリカ用ポールも排除でき車椅子の往来もスムースにする。
【００１０】
平坦な誘導路にすることで高齢者から幼児まで誰の足元にも優しくなり、車椅子から乳母車や自転車・旅行バック利用者に敬遠されず、障害物を排除した安全な空間を確保し利用優先順位を定め有効活用できる。
標示の厚みを薄くすることで材料間の歪みを無くし、ひび割れや剥離を少なくでき又表面の潰れを気に留めなくてもよくなる。
【００１１】
点字ブロックの敷設が難しかった、地下街や病院などでの誘導を可能に屋外から屋内まで連続・一貫した誘導を実現する。又施工費を軽減し改装やメンテナンスを容易にする。
【００１２】
二条にすることで確実に誘導路１であることが確認でき、また移動に必要なゆとりある誘導路１を確保し、延長方向と誘導路から左右前後への離脱が直ぐに分るようにもなる。
【００１３】
標示幅を違えることで誘導路の何れ側に安全側や危険側があるかが分り、また点字ブロックや盲導犬の機能を補うことができるため視覚障害者の足にも優しく、盲導犬の飼育や介護の不安からも開放される。
【発明を実施するための最良の形態】
【００１４】
表面から凹凸を排除した幅員約４５ｃｍ程度の誘導路１を確保し、ガラスビーズ等ならなる幅約１０ｃｍの回帰性反射を有する反射路面標示２を誘導路１の安全側４に敷設、更に約２０ｃｍの反射路面標示３を危険側５（車道側）に敷設し、これを特開平１０−１０８８８５号公報に記載する白杖等に装着した光学機器で走査すれば、何れかの反射路面標示上の空間を走査しても杖を伝って振動が伝達され、振動の有無・長短から安全側４と危険側５が分り、切込みを入れることで設備などの方向が分り、常に誘導路１の領域を確認しながら目標に向かって歩行でき軌道修正も意識することなく容易に行える。
更に誘導路１には、光吸収剤からなるカラー標示を施すことによって、より誤動作のない誘導路１にすることもできる。
【実施例１】
【００１５】
図１は本発明の歩行者誘導標示であって、白杖に特開平１０−１０８８８５号公報や特許公開２００２−１９７５８６号公報に記載する光学機器を装着して、点線に沿って誘導路１上を走査しながら左から右に向かって移動した場合、杖の接地の有無に関係なく、両側の回帰性反射機能を有し標示幅の異なる反射路面標示２又は３上の部分で振動するため、その間が安全な誘導路１である事が常に確認ができシームレスな誘導ができる、更に反射路面標示２・３の振動域から左側が安全域、右側が危険域側であることが分る。
【実施例２】
【００１６】
図２は本発明の歩行者誘導標示であって、白杖に特開平１０−１０８８８５号公報や特許公開２００２−１９７５８６号公報に記載する光学機器を装着して、点線に沿って誘導路１上を走査しながら手前から前方に向かって移動した場合、杖の接地の有無に関係なく、両側の回帰性反射機能を有し標示幅の異なる反射路面標示２又は３上の部分で振動するため、その間が安全な誘導路１である事が常に確認ができシームレスな誘導ができる、更に反射路面標示２・３の振動域から左側が安全域、右側が危険域側であることが分る。
特開２００３−３０３３９５号公報に記載するライン読取機能を装備した車両には、安全誘導路・避難路であることを知らせ駐車・駐輪禁止等を促し駐車防止用ポールも排除できる。
【図面の簡単な説明】
【００１７】
【図１】歩行者用誘導標示の平面を示した説明図である。（実施例１）
【図２】歩行者用誘導標示の実施方法を示した斜視図（一部断面図）である。（実施例２）
【符号の説明】
【００１８】
１  誘導路
２  反射路面標示
３  反射路面標示
４  安全側
５  危険側
６  光学機器の走査軌跡
【図１】
2006097226.tif 000003
【図２】
2006097226.tif 000004